(57)【要約】【課題】筐体の周囲の限られたスペースを利用して、ケーブルの曲げに際して、できるだけ大きな曲げ半径で所望の方向へ引き回すことを可能とする。【解決手段】電子部品を複数の面２Ａ〜２Ｅで囲んで収容する筐体１と、複数の面２Ａ〜２Ｅの内何れか一の面２Ａに設けられ、前記電子部品に接続された第１のコネクタ４と、この第１のコネクタ４に接続されるケーブル５とを備え、前記第１のコネクタ４は、前記ケーブル５の曲げ半径を所定以上にするために、前記一の面２Ａに対して傾斜して前記ケーブル５に接続された電子機器。【選択図】図１
2018148010.tif 000002
【特許請求の範囲】
【請求項１】
電子部品を複数の面で囲んで収容する筐体と、
前記複数の面の内何れか一の面に設けられ、前記電子部品に接続された第１のコネクタと、
この第１のコネクタに接続されるケーブルと、
を備え、
前記第１のコネクタは、前記ケーブルの曲げ半径を所定以上にするために、前記一の面に対して傾斜して前記ケーブルに接続された
電子機器。
【請求項２】
前記第１のコネクタは、前記筐体に回動可能に支持された
請求項１に記載の電子機器。
【請求項３】
前記第１のコネクタは、前記ケーブルの径に応じて異なる角度で前記筐体に支持された
請求項１または２のいずれか一項に記載の電子機器。
【請求項４】
前記第１のコネクタには、前記ケーブルに接続された第２のコネクタが着脱可能に接続された
請求項１〜３のいずれか一項に記載の電子機器。
【請求項５】
前記筐体は、前記一の面と直交する他の面に沿って移動自在に支持され、
前記他の面に沿って前記ケーブルが配線されるとともに、前記他の面との交差角度を小さくする方向へ前記コネクタが傾斜している
請求項１〜４のいずれか一項に記載の電子機器。
【請求項６】
前記一の面には開口が形成され、
前記筐体の底面と直交する軸を中心として回動自在に支持されて、前記開口と交差する範囲を移動可能な支持プレートにより、前記第１のコネクタが支持された
請求項１〜５のいずれか一項に記載の電子機器。
【請求項７】
前記支持プレートの回動範囲内で前記軸と同方向に突出して前記支持プレートの回動角度を規制するストッパを有する、
請求項６に記載の電子機器。
【請求項８】
前記コネクタは、前記筐体に所定角度傾斜して固定された、
請求項１〜５のいずれか一項に記載の電子機器。
【請求項９】
電子部品を複数の面で囲んで収容する筐体の前記複数の面の内何れか一の面に設けられて、前記電子部品に接続され、外部からケーブルが接続されるコネクタを備え、
前記コネクタは、前記ケーブルの曲げ半径を所定以上にするために、前記一の面に対して傾斜して前記筐体に支持された
ケーブル案内装置。
【発明の詳細な説明】
【技術分野】
【０００１】
本発明は、電子機器およびケーブル案内装置に関する。
【背景技術】
【０００２】
電子機器等の接続に使用されるケーブルは、芯線の劣化やコネクタへの過剰な負荷を防止するため、ケーブル毎に定まる所定の最小限界となる曲げ半径より緩やかな曲げによって所定の経路で配線することが望ましい。また、ラックに搭載された電子機器にあっては、この電子機器を引き出すに際して、電子機器筐体の背面に接続されたケーブルを前記最小限界以上の曲げ半径で引き回すことができるスペースを前記筐体の背面に確保することが求められる。
一方、近年のサーバの高密度化、大型化に伴い、サーバの筐体とこれを支持するラックとの間に前記曲げ半径を考慮した十分に大きなスペースを確保することが困難になっている。
【０００３】
特許文献１には、電気器具のコード引き出し方向を三次元的に変更する技術が開示されている。
特許文献２には、電気器具のコード引き出し口を球面に沿って回転可能な支持構造とすることによって、特許文献１と同様、引き出し方向を三次元的に変更する技術が開示されている。
特許文献３には、ラック状のユニット収容部に引き出し可能に収容されたユニットをリンク機構により案内する技術が開示されている。
【先行技術文献】
【特許文献】
【０００４】
【特許文献１】実開平０１−０９２１８５号公報
【特許文献２】実開昭６１−０３９９７９号公報
【特許文献３】実開平０３−０８８３８４号公報
【発明の概要】
【発明が解決しようとする課題】
【０００５】
しかしながら、特許文献１、２に記載された技術は、単に引き出し方向を変えるための構成を開示するに過ぎず、所定の曲げ半径以上でコードを引き回すためには、依然として大きなスペースが必要とされる。
【０００６】
また特許文献３に記載された技術は、ケーブルをリンクによって支持することにより、ユニットの引き出しに際してスムーズに展開、あるいは収縮させることはできても、許容される最小限界より緩やかな半径でケーブルを曲げるための配慮がなされていなかった。
【０００７】
この発明は、上記背景技術に鑑みてなされたもので、筐体の周囲の限られたスペースにおいて、ケーブルの曲げに際し、許容限界あるいはこれより大きな曲げ半径にて所望の経路で配線することを目的とする。
【課題を解決するための手段】
【０００８】
上記課題を解決するために、本発明の第１の態様にかかる電子機器は、下記の特徴を有する。
電子部品を複数の面で囲んで収容する筐体と、前記複数の面の内何れか一の面に設けられ、前記電子部品に接続されたコネクタと、このコネクタに接続されるケーブルとを備え、前記コネクタは、前記ケーブルの曲げ半径を所定以上にするために、前記一の面に対して傾斜して前記ケーブルに接続された。
【０００９】
上記課題を解決するために、本発明の第２の態様にかかる電子機器のケーブル案内装置は、下記の特徴を有する。
電子部品を複数の面で囲んで収容する筐体の前記複数の面の内何れか一の面に設けられて前記電子部品に接続され、外部からケーブルが接続されるコネクタを備え、前記コネクタは、前記ケーブルの曲げ半径を所定以上にするために、前記一の面に対して傾斜して前記筐体に支持された。
【発明の効果】
【００１０】
本発明によれば、限られたスペース内において、許容される曲げ半径より大きな曲げ半径でケーブルを曲げながら所望の方向へ配線することが可能となる。
【図面の簡単な説明】
【００１１】
【図１】本発明の最少構成にかかる第１実施形態の平面図である。
【図２】本発明の第２実施形態の平面図である。
【図３】本発明の第２実施形態の正面図である。
【図４】図２のＩＶ-ＩＶ線に沿う矢視図である。
【図５】図３の鎖線Ｖで囲まれた部分の拡大図である。
【図６】本発明の第２実施形態の作用の説明図である。
【発明を実施するための形態】
【００１２】
本発明の最少構成にかかる電子機器の第１実施形態について図１を参照して説明する。
符号１は筐体であって、この筐体１複数の面２Ａ〜２Ｅによって電子部品（単数または複数の電子部品および／または回路基板により構成された装置を含む）３を囲んで収容している。
なお、図１では、前記電子部品等を囲んで収容するための面として、５つの面を表現したが、図１において平面視される底の面２Ｅと同一形状の天井の面（図示略）をさらに有する六面体状であっても良い。
前記複数の面の内、筐体１の背面側に配置された面２Ａには、この面に対して傾斜し、例えば筐体１内の電子機器への電源インレットとして用いられる、第１のコネクタ４が設けられている。この第１のコネクタ４には、例えばＡＣ電源ケーブル等のケーブル５が接続されている。
【００１３】
上記第１実施形態においては、前記第１のコネクタ４が面２Ａに対して傾斜して設けられているので、面２Ｄに沿って、例えば、筐体１の背面に対応する面２Ａから側面に対応する面２Ｄに沿って前面（筐体１が引き出される方向、あるいは電子機器の正面）に対応する面２Ｃの方向へ配線された、ケーブル５の曲げ半径を（例えば、面２Ｅと直交する真後ろの方向に向けられた場合に比して）大きくすること、あるいは、最小の許容曲げ半径で曲げられたケーブル５が占めるスペースを小さくすることができる。
【００１４】
本発明の第２実施形態について図２〜図６を参照して説明する。なお、図２〜図６において図１と共通の構成には同一の符号を付し、説明を簡略化する。
筐体１は、例えば、一般的にサーバなどを収容する１９インチラックであるラック６Ａ、６Ｂに取り付けられている。ラック６Ａ，６Ｂの側部にそれぞれ設けられた一対のスライドレール７は、前記筐体１の両側を支持して、前後方向（図２の上下方向）へのスライド移動を許容している。
一方のラック６Ａの前側の側部には、ＡＣアウトレット８が設けられ、このＡＣアウトレット８に前記ケーブル５の一端のプラグを接続し、前記ケーブル５の他端の第２のコネクタ９を前記第１のコネクタ４に接続することによって、電子部品３へ電力を供給するようになっている。また前記ケーブル５は、筐体１の引き出し操作に伴う移動量と、許容最少曲げ半径とを考慮した所定の余長を持った長さを有する。
【００１５】
前記筐体１は、全体として直方体（六面体）状をなし、前記面（背面板）２Ａと直交する面（底面板）２Ｅには、図４に示すように、前記第１のコネクタ４の近傍の位置で、軸状のスタッド１１が貫通している。このスタッド１１は、底板２Ｅの上下で留め具１２を外側から嵌め、底面板２Ｅに対する上下方向への移動を拘束することにより取り付けられている。
【００１６】
このスタッド１１は、前記第１のコネクタ４が取り付けられた支持プレート４１を回動自在に支持している。すなわち、支持プレート４１は、図４に示すように側面視にてＬ字状をなし、垂直部（面４Ａと平行な部分）４２に前記第１のコネクタ４が取り付けられ、水平部（面４Ｅと平行な部分）４３が前記スタッド１１を中心に回動自在に支持されている。
また、前記筐体１の面（背面板）２Ａの一部には、開口部２１が形成され、この開口部２１とほぼ同一平面に、前記支持プレート４１の垂直部４２が配置されている。
【００１７】
前記支持プレート４１の垂直部４２に取り付けられたコネクタ４は、さらに、前記電子部品３に第３のコネクタ３１によって接続されている。
【００１８】
前記底板２Ｅには、二つのストッパ４４Ａ、４４Ｂが設けられている。これらのストッパ４４Ａ、４４Ｂは、前記支持プレート４１の回動範囲の底面板２Ｅの上面から上方に突出している。すなわち、ストッパ４４Ａ、４４Ｂは、ピン状をなし、前記支持プレート４１が時計回り、あるいは半時計回りに回転して、垂直部４２が二つのストッパ４４Ａ、４４Ｂのいずれかに接触することにより、支持プレート４１（およびこれに取り付けられた第１のコネクタ４）の回動範囲を所定角度に規制している。
【００１９】
以上のように構成された電子機器にあっては、支持プレート４１がスタッド１１を中心として回動することにより、第１のコネクタ４の向きをケーブル５の移動に応じて変更することができ、これに伴い、第１のコネクタ４に接続された第２コネクタ９の向きを変更するができる。また、支持プレート４１は、垂直部４２が二つのストッパ４４Ａ、４４Ｂのいずれかに当たるまで、図２の時計回りあるいは半時計回りに回動することができる。
【００２０】
このような支持プレート４１の回動による効果について、図６の（Ａ）（Ｂ）を参照して説明する。
図６の（Ａ）は、比較例として、第１のコネクタ４が背面板２Ａと直交する向きで固定されている場合において、ケーブル５を最小限界以上の所定の半径で曲げた状態を示している。
また図６の（Ｂ）は、本実施形態において、第１のコネクタ４が図中時計回りに回動して、ストッパ４４Ａに当たる角度傾斜した場合において、ケーブル５を図６の（Ａ）と同様に所定の半径で曲げた状態を示している。
【００２１】
図６の（Ａ）（Ｂ）から明らかなように、第１のコネクタ４が背面板２Ａに対して直交する方向に向いている場合と、傾斜している場合とでは、ケーブル５を許容される曲げ半径で曲げた場合に必要なスペースが異なる。
すなわち、図６の（Ａ）と（Ｂ）とを比較すると、コネクタ４が支持プレート４１ととともに傾斜することにより、ケーブル５が引き回される範囲が距離Ｌだけ短くなっている。この結果、筐体１の背面側でラック６との間に確保すべきスペースが前記距離Ｌだけ短くて済み、したがって、従来より奥行き方向への寸法が大きな筐体１、すなわち、より高機能のサーバをラック６Ａ、６Ｂに収容することができる。
【００２２】
また、前記支持プレート４１は、ストッパ４４Ａ、４４Ｂのいずれかに当たるまでの範囲で自由に回動することができるので、筐体１をラック６Ａ、６Ｂから出し入れしようとするに際し、ケーブル５に生じるべき曲げが支持プレート４１の回動により吸収され、したがって、曲げ変形によってケーブル５、第１のコネクタ４、あるいは第２のコネクタに加わる力を軽減することができる。
【００２３】
さらに、前記支持プレート４１が回転することによって第１のコネクタ４の角度を容易に変更することができるので、第２のコネクタ９を第１のコネクタ４に抜き挿しするに際し、第１のコネクタ４を作業性の良い角度まで回動させて良好な作業性を得ることができる。
【００２４】
［発明の他の実施例］
上記第２実施形態では、支持プレートの回転とともに、コネクタを任意の方向に傾けることができるため、ケーブルの飛び出し量の調整だけではなく、ケーブルの挿入方向も任意の方向で行うことができ、挿抜性の向上を図ることができる。具体的には、図２において左側のラック６Ａに設けられていたＡＣアウトレット８を右側のラック６Ｂに設けて、面２Ｂに沿ってケーブル５を引き回した場合であっても、前記支持プレート４１とともに、第１のコネクタ４が図２の半時計回りに回動してストッパ４４Ｂに当たる位置まで回動することができる。
【００２５】
なお、筐体１に対する第１のコネクタ４の取り付けは、必ずしも第２実施形態のような回動可能な構造ではなく、単に傾斜した状態で固定した構成であっても良い。すなわち、ケーブル５が通る側の側面（第１、第２実施形態のように面２Ｄに沿って配線する場合に限らず、面２Ｂに沿って配線する場合をも含む）へ向けて第１のコネクタ４を傾斜して取り付ければ、ケーブル５を背面板２Ａと直交する方向へ引き出した後に前方へ曲げる場合に比して、ケーブル５の引き回しに要する筐体の背面のスペースを小さくする効果が得られる。また、第１のコネクタ４の傾斜角度は、ケーブル５の径や材料、すなわち、ケーブル５に許容される最小曲げ半径に応じて適宜変更しても良いのはもちろんである。
【００２６】
なおまた、前記第１のコネクタ４は、支持プレート４１を用いて取り付けることが必須ではなく、第１のコネクタ４を筐体１の背面板２Ａに傾斜状態で直接取り付け、背面板２Ａ全体を傾斜状態に固定し、あるいは、背面板２Ａ全体を支持プレート４１と同様に回動可能な構成としても良い。
【００２７】
以上、本発明の実施形態について図面を参照して詳述したが、本発明は上記実施形態に限定されることなく、特許請求の範囲に記載した発明の範囲内で、種々の変形が可能であり、それらも本発明の範囲内に含まれるものであることはいうまでもない。
【産業上の利用可能性】
【００２８】
本発明は、ラックに搭載された筐体に接続されたケーブルを案内する案内装置およびこれの案内装置を備えた電子機器に関する。
【符号の説明】
【００２９】
１  筐体
２Ａ  面（背面板）
２Ｂ〜２Ｄ  面
２Ｅ  面（底面板）
３  電子部品
４  第１のコネクタ
５  ケーブル
６Ａ、６Ｂ  ラック
７  スライドレール
８  ＡＣアウトレット
９  第２のコネクタ
１１  スタッド
１２  留め具
３１  第３のコネクタ
４１  支持プレート
４２  垂直部
４３  水平部
４４Ａ、４４Ｂ  ストッパ
【図１】
2018148010.tif 000003
【図２】
2018148010.tif 000004
【図３】
2018148010.tif 000005
【図４】
2018148010.tif 000006
【図５】
2018148010.tif 000007
【図６】
2018148010.tif 000008